(57)【要約】【課題】全体の組付作業性を更に向上させること。【解決手段】基部３０と、直立壁部３２とを備えた複数個の直立壁部材４、６を含む立体構築物２。直立壁部材４、６は、水平横方向及び該水平横方向に直交する水平縦方向にそれぞれ相互に間隔を置いて配置される。水平横方向に隣合う直立壁部材４、６は複数の水平横梁部材８により鉛直端面同士が分離自在に連結され、水平縦方向に隣合う直立壁部材４、４及び６、６は複数の水平縦梁部材１０、１２により側面同士が分離自在に連結される。直立壁部材４、６の直立壁部３２には、ほぼ矩形の貫通穴４４が上下方向に間隔をおいて複数個形成されている。直立壁部材４、６の各々は、地面に配設された基礎手段３に設置される。【選択図】      図２
2005036601.tif 000002
【特許請求の範囲】
【請求項１】
一定の幅及び高さをもって水平方向に延在しかつ該水平方向に長い平面矩形状の輪郭を有する基部と、基部から鉛直上方に延びかつ該幅方向に一定の厚さを規定する両側面、該水平方向の長さを規定する鉛直両端面及び鉛直両端面に直交する水平上端面を有する直立壁部とを備え、かつそれぞれ鉄筋コンクリートから一体に成形されると共に相互に実質的に共通部品である複数個の直立壁部材を含み、直立壁部材の基部の幅は直立壁部の厚さよりも大きく形成されかつ基部の幅方向の両側面の、直立壁部の両側面からの幅方向への突出長さはそれぞれ等しく形成され、直立壁部の鉛直両端面と基部の該水平方向の両端面とはそれぞれ共通の鉛直面上に位置付けられ、
直立壁部材は、水平横方向及び該水平横方向に直交する水平縦方向にそれぞれ相互に間隔を置いて配置され、
水平横方向に相互に隣合う直立壁部材は、各々の直立壁部の鉛直端面同士が相互に向き合わされて該水平横方向に一定の間隔を置いて配置され、かつ直立壁部材の各々の同じ位置において上下方向に間隔をおいて配置された複数の水平横梁部材により鉛直端面同士が分離自在に連結され、
水平縦方向に相互に隣合う直立壁部材は、各々の直立壁部の側面同士が相互に向き合わされて該水平縦方向に一定の間隔を置いて配置され、かつ直立壁部材の各々の同じ位置において該水平横方向に間隔をおいてかつ上下方向に間隔をおいて配置された複数の水平縦梁部材により該側面同士が分離自在に連結され、
相互に同じ高さ位置において水平縦方向に対向する水平横梁部材の各々間は、複数の中間水平縦梁部材により分離自在に連結され、
相互に同じ高さ位置に配置された、水平横梁部材の各々の上面、水平縦梁部材の各々の上面及び中間水平縦梁部材の各々の上面は、それぞれ高さの異なる共通の水平戴置面を形成し、
直立壁部材の各々の直立壁部には、両側面を貫通するほぼ矩形の貫通穴が上下方向に間隔をおいて複数個形成され、該貫通穴の各々の両側面は直立壁部の鉛直両端面に平行に位置付けられ、該貫通穴は、高さの最も低い該水平設置面と基部との間、及びそれぞれ高さの異なる該水平設置面の間に形成され、
直立壁部材の各々は、直立壁部材の各々に対応して地面に配設された基礎手段に設置される、
ことを特徴とする立体構築物。
【請求項２】
一定の幅及び高さをもって水平方向に延在しかつ該水平方向に長い平面矩形状の輪郭を有する基部と、基部から鉛直上方に延びかつ該幅方向に一定の厚さを規定する両側面、該水平方向の長さを規定する鉛直両端面及び鉛直両端面に直交する水平上端面を有する直立壁部とを備え、かつそれぞれ鉄筋コンクリートから一体に成形されると共に相互に実質的に共通部品である複数個の直立壁部材を含み、直立壁部材の基部の幅は直立壁部の厚さよりも大きく形成されかつ基部の幅方向の両側面の、直立壁部の両側面からの幅方向への突出長さはそれぞれ等しく形成され、直立壁部の鉛直両端面と基部の該水平方向の両端面とはそれぞれ共通の鉛直面上に位置付けられ、
直立壁部材は、水平横方向及び該水平横方向に直交する水平縦方向にそれぞれ相互に間隔を置いて配置され、
水平横方向に相互に隣合う直立壁部材は、各々の直立壁部の鉛直端面同士が相互に向き合わされて該水平横方向に一定の間隔を置いて配置され、かつ直立壁部材の各々の同じ位置において上下方向に間隔をおいて配置された複数の水平横梁部材により鉛直端面同士が分離自在に連結され、
水平縦方向に相互に隣合う直立壁部材は、各々の直立壁部の側面同士が相互に向き合わされて該水平縦方向に一定の間隔を置いて配置され、かつ直立壁部材の各々の同じ位置において該水平横方向に間隔をおいてかつ上下方向に間隔をおいて配置された複数の水平縦梁部材により該側面同士が分離自在に連結され、
相互に同じ高さ位置において水平縦方向に対向する水平横梁部材の各々間は、複数の中間水平縦梁部材により分離自在に連結され、
相互に同じ高さ位置に配置された、水平横梁部材の各々の上面、水平縦梁部材の各々の上面及び中間水平縦梁部材の各々の上面は、それぞれ高さの異なる共通の水平戴置面を形成し、
水平横方向に相互に隣合う直立壁部材の各々における直立壁部の、相互に対向する鉛直端面であって、水平横梁部材が連結される連結部の直下方には、鉛直端面の各々から水平に延び出す水平受け上面を有する受け突部が配設され、水平縦方向に相互に隣合う直立壁部材の各々における直立壁部の、相互に対向する側面であって、水平縦梁部材が連結される連結部の直下方には、該側面の各々から水平に延び出す水平受け上面を有する受け突部が配設され、
直立壁部材の各々は、直立壁部材の各々に対応して地面に配設された基礎手段に設置される、
ことを特徴とする立体構築物。
【請求項３】
基礎手段の各々は、ほぼ直方体の鉄筋コンクリート基礎を含み、直立壁部材の各々は、各々の基部の両側面、両端面及び上面が、対応する基礎手段の鉄筋コンクリートに完全に埋設されることにより基礎手段に設置される、請求項１又は請求項２記載の立体構築物。
【請求項４】
相互に高さの異なる該水平戴置面の各々上には複数のフロアパネル部材が配設されて２階以上のフロア面が形成され、該フロア面の各々における該水平戴置面の周縁下部を規定する、直立壁部材、水平横梁部材及び水平縦梁部材の各々の外側には、複数のフェンス用支柱が、周方向に間隔をおいて直立するよう支持枠手段を介して配設され、該フロア面の各々における該水平戴置面の周縁下部とフェンス用支柱との間には上方に開放されたチャンネル形の雨樋が配設され、いくつかのフェンス用支柱は角パイプから形成されかつ下端が開放され、雨樋の底には排水口が形成され、角パイプからなるフェンス用支柱の側面であって、雨樋の底よりも低い位置における側面には横穴が形成され、排水口と、角パイプからなるフェンス用支柱の横穴とはジョイントパイプにより連結され、雨樋に流入した水は、排水口、ジョイントパイプ及び角パイプからなるフェンス用支柱を通って排水される、請求項１〜３のいずれか１項に記載の立体構築物。
【請求項５】
水平横方向に相互に隣合う直立壁部材の各々における直立壁部の、相互に対向する鉛直端面であって、水平横梁部材が連結される連結部、及び、水平縦方向に相互に隣合う直立壁部材の各々における直立壁部の、相互に対向する側面であって、水平縦梁部材が連結される連結部には、それぞれ複数の袋ナットがそれぞれ左右及び上下方向に間隔をおいて埋設され、水平横梁部材及び水平縦梁部材の各々は、ウェブ、上フランジ及び下フランジからなるＨ鋼から構成されると共に各々の先端には矩形の連結板が各々に直交して固着され、連結板の各々の、ウェブにより分けられる左右両側には、上下方向に間隔をおいて複数の取付穴が形成され、水平横梁部材の各々は、連結板が、対応する直立壁部材における直立壁部の鉛直端面の連結部に当接されてボルトにより締結されることにより、該直立壁部材の鉛直端面に連結され、水平縦梁部材の各々は、連結板が、対応する直立壁部材における直立壁部の側面の連結部に当接されてボルトにより締結されることにより、該直立壁部材の側面に連結される、請求項１〜４のいずれか１項に記載の立体構築物。
【請求項６】
中間水平縦梁部材の各々は、ウェブ、上フランジ及び下フランジからなるＨ鋼から構成され、水平横梁部材の各々の、中間水平縦梁部材が連結される連結部には、ガセットプレートが、上下フランジ間をそれらに直交するよう上下方向に延在しかつ両面が水平横梁部材の長手方向に向けられるよう固着され、中間水平縦梁部材の各々は、各々の先端が、対応する水平横梁部材の連結部に固着されたガセットプレートに突き合わされ、かつガセットプレート及び中間水平縦梁部材のウェブの両面にまたがって重合された連結板を介してボルト＆ナットにより締結されることにより、対応する水平横梁部材に連結される、請求項１〜５のいずれか１項に記載の立体構築物。
【請求項７】
水平横梁部材の各々を構成するＨ鋼は共通部品からなり、水平縦梁部材及び中間水平縦梁部材の各々を構成するＨ鋼は共通部品からなり、水平横梁部材の各々の高さは、中間水平縦梁部材の各々の高さよりも高く形成され、水平横梁部材の各々における連結部に固着されたガセットプレートは、水平横梁部材の上フランジのほぼ先端位置から鉛直下方に直線状に延びる鉛直先端面と、該鉛直先端面の下端部から水平に延び出す水平取付面とを有し、水平取付面には水平横梁部材の長手方向に水平に延在する受け板が固着され、受け板は、中間水平縦梁部材の各々の、ガセットプレートに対する連結部の直下方に配置される、請求項６記載の立体構築物。
【請求項８】
一定の幅及び高さをもって水平方向に延在しかつ該水平方向に長い平面矩形状の輪郭を有する基部と、基部から鉛直上方に延びかつ該幅方向に一定の厚さを規定する両側面、該水平方向の長さを規定する鉛直両端面及び鉛直両端面に直交する水平上端面を有する直立壁部とを備え、かつそれぞれ鉄筋コンクリートから一体に成形されると共に相互に実質的に共通部品である複数個の直立壁部材を含み、直立壁部材の基部の幅は直立壁部の厚さよりも大きく形成されかつ基部の幅方向の両側面の、直立壁部の両側面からの幅方向への突出長さはそれぞれ等しく形成され、直立壁部の鉛直両端面と基部の該水平方向の両端面とはそれぞれ共通の鉛直面上に位置付けられ、
直立壁部材は、水平横方向及び該水平横方向に直交する水平縦方向にそれぞれ相互に間隔を置いて配置され、
水平横方向に相互に隣合う直立壁部材は、各々の直立壁部の鉛直端面同士が相互に向き合わされて該水平横方向に一定の間隔を置いて配置され、かつ直立壁部材の各々の同じ位置において上下方向に間隔をおいて配置された複数の水平横梁部材により鉛直端面同士が分離自在に連結され、
水平縦方向に相互に隣合う直立壁部材は、各々の直立壁部の側面同士が相互に向き合わされて該水平縦方向に一定の間隔を置いて配置され、かつ直立壁部材の各々の同じ位置において該水平横方向に間隔をおいてかつ上下方向に間隔をおいて配置された複数の水平縦梁部材により該側面同士が分離自在に連結され、
相互に同じ高さ位置に配置された、水平横梁部材の各々の上面及び水平縦梁部材の各々の上面は、それぞれ高さの異なる共通の水平戴置面を形成する立体構築物の設置方法であって、
直立壁部材の各々に対応して、地面に基礎手段を配設し、
基礎手段の各々は、ほぼ直方体の鉄筋コンクリート基礎を含み、鉄筋コンクリート基礎は、地面よりも低い位置に水平上面が存在する下層の鉄筋コンクリート基礎と、下層の鉄筋コンクリート基礎の水平上面に配設される上層の鉄筋コンクリート基礎とを含み、直立壁部材の各々は、対応する基礎手段における下層の鉄筋コンクリート基礎が配設された後、基部を介して下層の鉄筋コンクリート基礎の水平上面に戴置され、直立壁部材の各々が、対応する基礎手段の下層の鉄筋コンクリート基礎の水平上面に戴置された状態で、直立壁部材の各々に水平横梁部材及び水平縦梁部材の各々が連結され、続いて、上層の鉄筋コンクリートを打設することにより、直立壁部材の各々は、各々の基部の両側面、両端面及び上面が、対応する基礎手段の鉄筋コンクリートに完全に埋設されることにより基礎手段に設置される、
ことを特徴とする立体構築物の設置方法。
【請求項９】
基礎手段の各々は、地中に埋設された複数の杭部材を含み、下層の鉄筋コンクリート基礎は、杭部材の各々の上端部から上方に配設されている、請求項８記載の立体構築物の設置方法。
【発明の詳細な説明】
【技術分野】
【０００１】
本発明は、地面に配設された基礎手段に設置される複数の直立壁部材を備えた立体構築物及び立体構築物の設置方法に関する。本発明に係る立体構築物は、例えば、２階以上の、立体駐車場、立体駐輪場、立体スポーツパーク及び立体多目的パークなどに適用される。
【背景技術】
【０００２】
本発明は、先に、分離自在に組み立てられ、平坦な表面上に載置される立体構築物を開発した（特許文献１参照）。この立体構築物は、所定の幅をもって水平方向に所定の長さ延在するところの、該表面上に載置される基部と、基部から実質上鉛直上方に延びかつ該幅方向の厚さを規定する両側面と該水平方向の長さを規定する両端面とを有する直立部とを備え、それぞれコンクリートから一体に成形された複数個の直立支持部材を含んでいる。直立支持部材の各々は、水平横方向及び該水平横方向に直交する水平縦方向にそれぞれ相互に間隔を置いて配置される。水平横方向に相互に隣合う直立支持部材の各々は、各々の直立部の一端面同士が相互に向き合わされて該水平横方向に一定の間隔を置いて配置されると共に梁手段により分離自在に連結される。水平縦方向に相互に隣合う直立支持部材の各々は、各々の直立部の一側面同士が相互に向き合わされて該水平縦方向に一定の間隔を置いて配置されると共に連結手段により相互に分離自在に連結される。
【０００３】
上記立体構築物は、同一設置面積において、従来の柱構造からなる立体構築物よりも一層大きな利用空間を得ることができ、また、水平横方向及び水平縦方向への面積の拡大はもとより、上方への拡大も容易であり、更にはまた、全体の組立時間が著しく短縮され、したがって構築費用が更に安価となる、などの優れた効果が得られる。
【０００４】
しかしながら、上記立体構築物は、平坦な表面上に載置される立体構築物として開発されたものであって、基礎に設置される立体構築物の開発も要請されていること、全体の構成の更なる簡略化及び低コスト化が要請されていること、全体の組付作業性を更に向上させる余地が残されていること、より簡単かつ低コストで所要の排水性を確保する余地が残されていること、などから、更なる改善が望まれているところであった。
【０００５】
本出願に関する先行技術情報として次のものがある。
【特許文献１】特許第３２１６０７７号公報
【発明の開示】
【発明が解決しようとする課題】
【０００６】
本発明の目的は、水平横方向及び水平縦方向への面積の拡大はもとより、上方への拡大も容易であり、しかも構成が更に簡単かつ低コストでありながら所要の強度を十分に確保することが可能である、新規な立体構築物を提供することである。
【０００７】
本発明の他の目的は、簡単な構成及び低コストで所要の排水性を確保することを可能にする、新規な立体構築物を提供することである。
【０００８】
本発明の更に他の目的は、全体の組付作業性を更に向上させることを可能にし、全体の組立時間を更に短縮することを可能にする、新規な立体構築物及び立体構築物の設置方法を提供することである。
【課題を解決するための手段】
【０００９】
本発明の一局面によれば、一定の幅及び高さをもって水平方向に延在しかつ該水平方向に長い平面矩形状の輪郭を有する基部と、基部から鉛直上方に延びかつ該幅方向に一定の厚さを規定する両側面、該水平方向の長さを規定する鉛直両端面及び鉛直両端面に直交する水平上端面を有する直立壁部とを備え、かつそれぞれ鉄筋コンクリートから一体に成形されると共に相互に実質的に共通部品である複数個の直立壁部材を含み、直立壁部材の基部の幅は直立壁部の厚さよりも大きく形成されかつ基部の幅方向の両側面の、直立壁部の両側面からの幅方向への突出長さはそれぞれ等しく形成され、直立壁部の鉛直両端面と基部の該水平方向の両端面とはそれぞれ共通の鉛直面上に位置付けられ、
直立壁部材は、水平横方向及び該水平横方向に直交する水平縦方向にそれぞれ相互に間隔を置いて配置され、
水平横方向に相互に隣合う直立壁部材は、各々の直立壁部の鉛直端面同士が相互に向き合わされて該水平横方向に一定の間隔を置いて配置され、かつ直立壁部材の各々の同じ位置において上下方向に間隔をおいて配置された複数の水平横梁部材により鉛直端面同士が分離自在に連結され、
水平縦方向に相互に隣合う直立壁部材は、各々の直立壁部の側面同士が相互に向き合わされて該水平縦方向に一定の間隔を置いて配置され、かつ直立壁部材の各々の同じ位置において該水平横方向に間隔をおいてかつ上下方向に間隔をおいて配置された複数の水平縦梁部材により該側面同士が分離自在に連結され、
相互に同じ高さ位置において水平縦方向に対向する水平横梁部材の各々間は、複数の中間水平縦梁部材により分離自在に連結され、
相互に同じ高さ位置に配置された、水平横梁部材の各々の上面、水平縦梁部材の各々の上面及び中間水平縦梁部材の各々の上面は、それぞれ高さの異なる共通の水平戴置面を形成し、
直立壁部材の各々の直立壁部には、両側面を貫通するほぼ矩形の貫通穴が上下方向に間隔をおいて複数個形成され、該貫通穴の各々の両側面は直立壁部の鉛直両端面に平行に位置付けられ、該貫通穴は、高さの最も低い該水平設置面と基部との間、及びそれぞれ高さの異なる該水平設置面の間に形成され、
直立壁部材の各々は、直立壁部材の各々に対応して地面に配設された基礎手段に設置される、
ことを特徴とする立体構築物、が提供される。
【００１０】
本発明の他の局面によれば、一定の幅及び高さをもって水平方向に延在しかつ該水平方向に長い平面矩形状の輪郭を有する基部と、基部から鉛直上方に延びかつ該幅方向に一定の厚さを規定する両側面、該水平方向の長さを規定する鉛直両端面及び鉛直両端面に直交する水平上端面を有する直立壁部とを備え、かつそれぞれ鉄筋コンクリートから一体に成形されると共に相互に実質的に共通部品である複数個の直立壁部材を含み、直立壁部材の基部の幅は直立壁部の厚さよりも大きく形成されかつ基部の幅方向の両側面の、直立壁部の両側面からの幅方向への突出長さはそれぞれ等しく形成され、直立壁部の鉛直両端面と基部の該水平方向の両端面とはそれぞれ共通の鉛直面上に位置付けられ、
直立壁部材は、水平横方向及び該水平横方向に直交する水平縦方向にそれぞれ相互に間隔を置いて配置され、
水平横方向に相互に隣合う直立壁部材は、各々の直立壁部の鉛直端面同士が相互に向き合わされて該水平横方向に一定の間隔を置いて配置され、かつ直立壁部材の各々の同じ位置において上下方向に間隔をおいて配置された複数の水平横梁部材により鉛直端面同士が分離自在に連結され、
水平縦方向に相互に隣合う直立壁部材は、各々の直立壁部の側面同士が相互に向き合わされて該水平縦方向に一定の間隔を置いて配置され、かつ直立壁部材の各々の同じ位置において該水平横方向に間隔をおいてかつ上下方向に間隔をおいて配置された複数の水平縦梁部材により該側面同士が分離自在に連結され、
相互に同じ高さ位置において水平縦方向に対向する水平横梁部材の各々間は、複数の中間水平縦梁部材により分離自在に連結され、
相互に同じ高さ位置に配置された、水平横梁部材の各々の上面、水平縦梁部材の各々の上面及び中間水平縦梁部材の各々の上面は、それぞれ高さの異なる共通の水平戴置面を形成し、
水平横方向に相互に隣合う直立壁部材の各々における直立壁部の、相互に対向する鉛直端面であって、水平横梁部材が連結される連結部の直下方には、鉛直端面の各々から水平に延び出す水平受け上面を有する受け突部が配設され、水平縦方向に相互に隣合う直立壁部材の各々における直立壁部の、相互に対向する側面であって、水平縦梁部材が連結される連結部の直下方には、該側面の各々から水平に延び出す水平受け上面を有する受け突部が配設され、
直立壁部材の各々は、直立壁部材の各々に対応して地面に配設された基礎手段に設置される、
ことを特徴とする立体構築物、が提供される。
基礎手段の各々は、ほぼ直方体の鉄筋コンクリート基礎を含み、直立壁部材の各々は、各々の基部の両側面、両端面及び上面が、対応する基礎手段の鉄筋コンクリートに完全に埋設されることにより基礎手段に設置される、ことが好ましい。
相互に高さの異なる該水平戴置面の各々上には複数のフロアパネル部材が配設されて２階以上のフロア面が形成され、該フロア面の各々における該水平戴置面の周縁下部を規定する、直立壁部材、水平横梁部材及び水平縦梁部材の各々の外側には、複数のフェンス用支柱が、周方向に間隔をおいて直立するよう支持枠手段を介して配設され、該フロア面の各々における該水平戴置面の周縁下部とフェンス用支柱との間には上方に開放されたチャンネル形の雨樋が配設され、いくつかのフェンス用支柱は角パイプから形成されかつ下端が開放され、雨樋の底には排水口が形成され、角パイプからなるフェンス用支柱の側面であって、雨樋の底よりも低い位置における側面には横穴が形成され、排水口と、角パイプからなるフェンス用支柱の横穴とはジョイントパイプにより連結され、雨樋に流入した水は、排水口、ジョイントパイプ及び角パイプからなるフェンス用支柱を通って排水される、ことが好ましい。
水平横方向に相互に隣合う直立壁部材の各々における直立壁部の、相互に対向する鉛直端面であって、水平横梁部材が連結される連結部、及び、水平縦方向に相互に隣合う直立壁部材の各々における直立壁部の、相互に対向する側面であって、水平縦梁部材が連結される連結部には、それぞれ複数の袋ナットがそれぞれ左右及び上下方向に間隔をおいて埋設され、水平横梁部材及び水平縦梁部材の各々は、ウェブ、上フランジ及び下フランジからなるＨ鋼から構成されると共に各々の先端には矩形の連結板が各々に直交して固着され、連結板の各々の、ウェブにより分けられる左右両側には、上下方向に間隔をおいて複数の取付穴が形成され、水平横梁部材の各々は、連結板が、対応する直立壁部材における直立壁部の鉛直端面の連結部に当接されてボルトにより締結されることにより、該直立壁部材の鉛直端面に連結され、水平縦梁部材の各々は、連結板が、対応する直立壁部材における直立壁部の側面の連結部に当接されてボルトにより締結されることにより、該直立壁部材の側面に連結される、ことが好ましい。
中間水平縦梁部材の各々は、ウェブ、上フランジ及び下フランジからなるＨ鋼から構成され、水平横梁部材の各々の、中間水平縦梁部材が連結される連結部には、ガセットプレートが、上下フランジ間をそれらに直交するよう上下方向に延在しかつ両面が水平横梁部材の長手方向に向けられるよう固着され、中間水平縦梁部材の各々は、各々の先端が、対応する水平横梁部材の連結部に固着されたガセットプレートに突き合わされ、かつガセットプレート及び中間水平縦梁部材のウェブの両面にまたがって重合された連結板を介してボルト＆ナットにより締結されることにより、対応する水平横梁部材に連結される、ことが好ましい。
水平横梁部材の各々を構成するＨ鋼は共通部品からなり、水平縦梁部材及び中間水平縦梁部材の各々を構成するＨ鋼は共通部品からなり、水平横梁部材の各々の高さは、中間水平縦梁部材の各々の高さよりも高く形成され、水平横梁部材の各々における連結部に固着されたガセットプレートは、水平横梁部材の上フランジのほぼ先端位置から鉛直下方に直線状に延びる鉛直先端面と、該鉛直先端面の下端部から水平に延び出す水平取付面とを有し、水平取付面には水平横梁部材の長手方向に水平に延在する受け板が固着され、受け板は、中間水平縦梁部材の各々の、ガセットプレートに対する連結部の直下方に配置される、ことが好ましい。
【００１１】
本発明の更に他の局面によれば、一定の幅及び高さをもって水平方向に延在しかつ該水平方向に長い平面矩形状の輪郭を有する基部と、基部から鉛直上方に延びかつ該幅方向に一定の厚さを規定する両側面、該水平方向の長さを規定する鉛直両端面及び鉛直両端面に直交する水平上端面を有する直立壁部とを備え、かつそれぞれ鉄筋コンクリートから一体に成形されると共に相互に実質的に共通部品である複数個の直立壁部材を含み、直立壁部材の基部の幅は直立壁部の厚さよりも大きく形成されかつ基部の幅方向の両側面の、直立壁部の両側面からの幅方向への突出長さはそれぞれ等しく形成され、直立壁部の鉛直両端面と基部の該水平方向の両端面とはそれぞれ共通の鉛直面上に位置付けられ、
直立壁部材は、水平横方向及び該水平横方向に直交する水平縦方向にそれぞれ相互に間隔を置いて配置され、
水平横方向に相互に隣合う直立壁部材は、各々の直立壁部の鉛直端面同士が相互に向き合わされて該水平横方向に一定の間隔を置いて配置され、かつ直立壁部材の各々の同じ位置において上下方向に間隔をおいて配置された複数の水平横梁部材により鉛直端面同士が分離自在に連結され、
水平縦方向に相互に隣合う直立壁部材は、各々の直立壁部の側面同士が相互に向き合わされて該水平縦方向に一定の間隔を置いて配置され、かつ直立壁部材の各々の同じ位置において該水平横方向に間隔をおいてかつ上下方向に間隔をおいて配置された複数の水平縦梁部材により該側面同士が分離自在に連結され、
相互に同じ高さ位置に配置された、水平横梁部材の各々の上面及び水平縦梁部材の各々の上面は、それぞれ高さの異なる共通の水平戴置面を形成する立体構築物の設置方法であって、
直立壁部材の各々に対応して、地面に基礎手段を配設し、
基礎手段の各々は、ほぼ直方体の鉄筋コンクリート基礎を含み、鉄筋コンクリート基礎は、地面よりも低い位置に水平上面が存在する下層の鉄筋コンクリート基礎と、下層の鉄筋コンクリート基礎の水平上面に配設される上層の鉄筋コンクリート基礎とを含み、直立壁部材の各々は、対応する基礎手段における下層の鉄筋コンクリート基礎が配設された後、基部を介して下層の鉄筋コンクリート基礎の水平上面に戴置され、直立壁部材の各々が、対応する基礎手段の下層の鉄筋コンクリート基礎の水平上面に戴置された状態で、直立壁部材の各々に水平横梁部材及び水平縦梁部材の各々が連結され、続いて、上層の鉄筋コンクリートを打設することにより、直立壁部材の各々は、各々の基部の両側面、両端面及び上面が、対応する基礎手段の鉄筋コンクリートに完全に埋設されることにより基礎手段に設置される、
ことを特徴とする立体構築物の設置方法、が提供される。
基礎手段の各々は、地中に埋設された複数の杭部材を含み、下層の鉄筋コンクリート基礎は、杭部材の各々の上端部から上方に配設されている、ことが好ましい。
【発明を実施するための最良の形態】
【００１２】
以下、本発明に従って構成された立体構築物及び立体構築物の設置方法の実施の形態を添付図面を参照して詳細に説明する。
【００１３】
図１〜図３を参照して、立体構築物２の全体構成を概略的に説明する。３階式立体駐車場に適用される立体構築物２は全体として直方体形状に組み立てられ、地面に配設された基礎手段３に設置される。立体構築物２はそれぞれ複数の直立壁部材４及び６を備えている。直立壁部材４及び６の各々は、鉄筋コンクリートから一体に成形され、かつそれぞれ実質的に共通部品から構成されている。直立壁部材４及び６は、それぞれ水平横方向に間隔を置いて配置されると共に、水平横方向に直交する方向である水平縦方向に間隔を置いて配置されている。なお、この明細書において、水平横方向とは、立体構築物２の幅方向（図１及び図２のほぼ左上−右下方向）、水平縦方向とは立体構築物２の長手（縦）方向（図１及び図２のほぼ左下−右上方向）を意味するものとする。以下、「水平横方向」は「横方向」、「水平縦方向」は「縦方向」と、それぞれ略称する。
【００１４】
直立壁部材４と６との横方向間隔は、それぞれ実質上同一であり、直立壁部材４の各々の縦方向間隔及び直立壁部材６の各々の縦方向間隔はそれぞれ実質上同一である。直立壁部材４と６との横方向に対向する上端部間及び上下方向のほぼ中央部間は、それぞれ１個（合計２個）の水平横梁部材８により分離自在に連結されている（図３において、水平横梁部材８は、それぞれ１個のみ図示されている）。水平横梁部材８の各々は、ウェブ、上フランジ及び下フランジからなるＨ鋼から形成され、Ｈ鋼の各々は共通部品から構成されている。このような部品の共通化は、コストダウン、組付け作業性の向上などに寄与する。
【００１５】
直立壁部材４の各々の縦方向に対向する上端部間及び上下方向のほぼ中央部間は、それぞれ複数個の、実施形態においては２個（合計４個）の水平縦梁部材１０により分離自在に連結されている（図３において、水平縦梁部材１０は、それぞれ２個のみ図示されている）。また、直立壁部材６の各々の縦方向に対向する上端部間及び上下方向のほぼ中央部間は、それぞれ複数個の、実施形態においては２個（合計４個）の水平縦梁部材１２により分離自在に連結されている（図３において、水平縦梁部材１２は、それぞれ２個のみ図示されている）。水平縦梁部材１０及び１２の各々は、ウェブ、上フランジ及び下フランジからなるＨ鋼から形成され、Ｈ鋼の各々は共通部品から構成されている。このような部品の共通化は、コストダウン、組付け作業性の向上などに寄与する。
【００１６】
縦方向に対向する水平横梁部材８の各々は、それぞれ複数個の、実施形態においては３個の中間水平縦梁部材１４により分離自在に連結されている（図３において、中間水平縦梁部材１４は、それぞれ３個のみ図示されている）。中間水平縦梁部材１４の各々は、ウェブ、上フランジ及び下フランジからなるＨ鋼から形成され、Ｈ鋼の各々は共通部品から構成されている。このような部品の共通化は、コストダウン、組付け作業性の向上などに寄与する。
【００１７】
水平横梁部材８の各々の高さ（上フランジの水平上面と下フランジの水平下面との間の鉛直距離）は、水平縦梁部材１０及び１２、中間水平縦梁部材１４の各々の高さよりも高く形成されている。
【００１８】
直立壁部材４と６との横方向に対向する上下方向のほぼ中央部間を連結する水平横梁部材８の各々の上面（上フランジの水平上面であって、以下同じ）、直立壁部材４の各々の縦方向に対向する上下方向のほぼ中央部間を連結する水平縦梁部材１０の各々の上面、及び直立壁部材６の各々の縦方向に対向する上下方向のほぼ中央部間を連結する水平縦梁部材１２の各々の上面は、共通の水平戴置面（２階のフロア面を形成するための水平戴置面）を形成する。この水平戴置面は実質的に平面矩形状の輪郭を有しており、その上面には、複数のフロアパネル部材１６が配設されて２階のフロア面１８が形成される。２階のフロア面１８は実質的に矩形状の周縁を有し、該周縁にはフェンス２０が配設されている。
【００１９】
直立壁部材４と６の上端面、直立壁部材４と６との横方向に対向する上端部間を連結する水平横梁部材８の各々の上面、直立壁部材４の各々の縦方向に対向する上端部間を連結する水平縦梁部材１０の各々の上面、及び直立壁部材６の各々の縦方向に対向する上端部間を連結する水平縦梁部材１２の各々の上面は、共通の水平戴置面（３階のフロア面を形成するための水平戴置面）を形成する。この水平戴置面は実質的に平面矩形状の輪郭を有しており、その上面には、複数のフロアパネル部材１６が配設されて３階のフロア面２２が形成される。３階のフロア面２２は実質的に矩形状の周縁を有し、該周縁にはフェンス２４が配設されている。２階のフロア面１８及び３階のフロア面２２を形成するための水平戴置面上に配設されたフロアパネル部材１６の各々は、実質上矩形をなすと共に鉄筋コンクリート（この実施形態ではプレキャストコンクリート）から一体に成形され、かつ実質的に共通部品から構成されている。このような部品の共通化は、コストダウン、組付け作業性の向上などに寄与する。なお、図示の実施形態において、１階のフロア面２６は地面を覆うよう配設されたコンクリートにより形成されている。
【００２０】
図１に示す立体構築物２には、２階のフロア面１８と地面とを結ぶ図示しないスロープが配設される。また、２階のフロア面１８と３階のフロア面２２との間にも図示しない連絡通路が配設される。これらのスロープ及び連絡通路が配置される領域におけるフェンス２０及び２４は、部分的に除去されることはいうまでもない。
【００２１】
次に、図４〜図７を参照して、直立壁部材４及び６について説明する。直立壁部材４及び６は実質上同一の構成を有しているので、ここでは代表して直立壁部材４について説明する。直立壁部材４は、基部３０と直立壁部３２とを備え、鉄筋コンクリート（この実施形態ではプレキャストコンクリート）から一体に成形されている。基部３０は、一定の幅（図４において紙面に垂直な方向の幅、図5及び図6において左右方向の幅、図７において上下方向の幅）及び一定の高さをもって水平方向（図4及び図７において左右方向、図5及び図6において紙面に垂直な方向）に直線状に延在しかつ該水平方向に比較的細長い平面矩形状の輪郭を有している。基部３０の下面は平坦な水平面をなしている。直立壁部３２は、基部３０から鉛直上方に延びかつ該幅方向に一定の厚さを規定する側面３２ａ、３２ｂ、該水平方向の長さを規定する鉛直端面３２ｃ、３２ｄ、及び、鉛直端面３２ｃ、３２ｄに直交する水平上端面３２ｅを有している。基部３０の幅は直立壁部３２の厚さよりも大きく形成されかつ基部３０の幅方向の両側面３０ａ、３０ｂの、直立壁部３２の両側面３２ａ、３２ｂからの幅方向への突出長さはそれぞれ等しく形成されている。直立壁部３２の鉛直端面３２ｃ、３２ｄと基部３０の該水平方向の端面３０ｃ、３０ｄとはそれぞれ共通の鉛直面上に位置付けられている。直立壁部材４は、その該幅方向に見て、実質的に矩形状をなし、全体が実質的に同一の厚さを有している。直立壁部材４は、その該水平方向に見て、ほぼ逆Ｔ字形状をなしている。直立壁部材４は、このように構成がきわめてシンプルであり、したがって低コストで製造することが可能になる。
【００２２】
図４〜図７と共に図１５を参照して、直立壁部３２の鉛直端面３２ｃの上端部は、水平横梁部材８との連結部を規定し、直立壁部３２の側面３２ａ及び３２ｂの上端部であって、鉛直端面３２ｃの上記連結部に隣接した上端部は、それぞれ水平縦梁部材１０との連結部を規定する。これらの連結部は、全体としてチャンネル形状の補強板３４により覆われている。補強板３４は直立壁部３２に一体に配設されている。該連結部の各々には図示しない複数の袋ナットがそれぞれ左右及び上下方向に間隔をおいて埋設されている。袋ナットの各々は補強板３４の内側に溶接により固着されており、それぞれ図示しない金属ロッド、鉄筋などによりコンクリート打設前の位置決めがなされている。袋ナットの各々に整合して、補強板３４には雌ねじ穴が形成されている。
【００２３】
直立壁部３２の鉛直端面３２ｃの上端部、すなわち、水平横梁部材８との連結部の直下方には、鉛直端面３２ｃから水平に延び出す受け上面３６ａを有する受け突部３６が配設されている。受け突部３６は、直立壁部３２と一体にコンクリートにより形成されている。直立壁部３２の側面３２ａ及び３２ｂの上端部であって、鉛直端面３２ｃの上記連結部に隣接した上端部、すなわち水平縦梁部材１０との連結部の直下方には、側面３２ａ及び３２ｂの各々から水平に延び出す水平受け上面３８ａを有する受け突部３８が配設されている。受け突部３８の各々は、補強板３４の一部を折り曲げることにより形成されている。これらの受け突部３６及び３８は、それぞれ水平横梁部材８及び水平縦梁部材１０の連結作業を容易かつ迅速にすると共に、予想もしない外力の発生などによる水平横梁部材８及び水平縦梁部材１０の下方への変位を阻止する機能をも有している。その結果、全体の組付作業性を更に向上させることを可能にし、全体の組立時間を更に短縮することを可能にする。
【００２４】
直立壁部３２の鉛直端面３２ｃの上下方向のほぼ中央部は、水平横梁部材８との連結部を規定し、直立壁部３２の側面３２ａ及び３２ｂの上下方向のほぼ中央部であって、鉛直端面３２ｃの上記連結部に隣接した上下方向のほぼ中央部は、それぞれ水平縦梁部材１０との連結部を規定する。これらの連結部の構成及びこれらの連結部の各々の直下方に配設された受け突部の構成は、先に述べた上端部における構成と実質的に同じであるので、実質的に同一部分は同一符号で示し、更なる説明は省略する。
【００２５】
図４〜図７と共に図１６を参照して、直立壁部３２の他の鉛直端面３２ｄの上端部は、フェンス２０及び２４の支柱１００Ａの支持枠手段１０２（後述する）が連結される連結部を規定し、直立壁部３２の側面３２ａ及び３２ｂの上端部であって、鉛直端面３２ｄの上記連結部に隣接した上端部は、それぞれ水平縦梁部材１０との連結部を規定する。これらの連結部は、全体としてチャンネル形状の補強板４０により覆われている。補強板４０は直立壁部３２に一体に配設されている。該連結部の各々には図示しない複数の袋ナットがそれぞれ左右及び上下方向に間隔をおいて埋設されている。袋ナットの各々は補強板４０の内側に、先に述べたのと同じようにして配設されている。袋ナットの各々に整合して、補強板４０には雌ねじ穴が形成されている。
【００２６】
直立壁部３２の側面３２ａ及び３２ｂの上端部であって、他の鉛直端面３２ｄの上記連結部に隣接した上端部、すなわち水平縦梁部材１０との連結部の直下方には、側面３２ａ及び３２ｂの各々から水平に延び出す水平受け上面４２ａを有する受け突部４２が配設されている。受け突部４２の各々は、補強板４０の一部を折り曲げることにより形成されている。受け突部４２の各々は、水平縦梁部材１０の連結作業を容易かつ迅速にすると共に、予想もしない外力の発生などによる水平縦梁部材１０の下方への変位を阻止する機能をも有している。その結果、全体の組付作業性を更に向上させることを可能にし、全体の組立時間を更に短縮することを可能にする。
【００２７】
直立壁部３２の他の鉛直端面３２ｄの上下方向のほぼ中央部は、フェンス２０及び２４の支柱１００Ａの支持枠手段１０２（後述する）が連結される連結部を規定し、直立壁部３２の側面３２ａ及び３２ｂの上下方向のほぼ中央部であって、他の鉛直端面３２ｄの上記連結部に隣接した上下方向のほぼ中央部は、それぞれ水平縦梁部材１０との連結部を規定する。これらの連結部の構成及びこれらの連結部の各々の直下方に配設された受け突部の構成は、先に述べた他の鉛直端面３２ｄの上端部及び他の鉛直端面３２ｄの上記連結部に隣接した側面３２ａ及び３２ｂの上端部における構成と実質的に同じであるので、実質的に同一部分は同一符号で示し、更なる説明は省略する。
【００２８】
直立壁部３２には、側面３２ａ及び３２ｂを貫通するほぼ矩形の貫通穴４４が上下方向に間隔をおいて複数個、実施形態においては２個形成されている。貫通穴４４の各々の両側面（図４において左右方向の両側面）は、直立壁部３２の鉛直端面３２ｃ及び３２ｄに平行に位置付けられている。実施形態において、貫通穴４４は、高さの最も低い水平設置面である、２階のフロア面を形成するための上記水平戴置面と基部３０との間、及びそれぞれ高さの異なる水平設置面の間、実施形態においては、２階のフロア面を形成するための上記水平戴置面と３階のフロア面を形成するための上記水平戴置面との間に形成されている。立体構築物２が多層になるほど、直立壁部３２は鉛直方向に長くなり、上方よりも下方の強度を増大させる必要があるが、鉛直端面３２ｃ及び３２ｄ間の距離を一定にして、貫通穴４４の両側面間の間隔を調整することにより（下方に位置する貫通穴４４の該間隔を狭く、上方に位置する貫通穴４４の該間隔を広くすることにより）上下間の強度の調整を容易かつ確実に行うことができ、設計上有利である。
【００２９】
直立壁部３２の側面３２ａ及び３２ｂの上下方向の中央には、側面３２ａ及び３２ｂの各々から水平に延び出す水平上面４６ａを有する支持突部４６が配設されている。支持突部４６の各々は、直立壁部３２と一体にコンクリートにより形成され、補強板３４と４０との間の領域を水平に延在している。支持突部４６の各々の水平上面４６ａは、２階のフロア面を形成するための水平戴置面と実質的に同一面上に位置付けられ、フロアパネル部材１６の周縁の一部領域の下面が戴置される。
【００３０】
上記立体構築物２において、上記縦方向の両端にそれぞれ配置される直立支持部材４及び６における直立壁部３２の外側に面する側面３２ａ又は３２ｂには、水平縦梁部材１０及び１２は連結されず、フェンス２０及び２４の支柱１００Ａ    の支持枠手段１０２（後述する）、及び支柱１００の支持枠手段１０４（後述する）が連結されるので、そのような連結部を配設しておけばよい。
【００３１】
以上のように構成された直立壁部材４及び６の各対は、各々の直立壁部３２の鉛直端面３２ｃが相互に向き合わされて横方向に一定の間隔を置いて配置される。また直立壁部材４の各々及び直立壁部材６の各々は、各々の直立壁部３２の側面３２ａと３２ｂとが相互に向き合わされて縦方向に一定の間隔を置いて配置される。直立壁部材４及び６の各々は、直立壁部材４及び６の各々に対応して地面に配設された基礎手段３に設置される。
【００３２】
図８〜図１０を参照して、基礎手段３の各々は、地中に埋設された複数の杭部材、実施形態においては２本の鋼管パイル５０と、ほぼ直方体の鉄筋コンクリート基礎５２を含む。鉄筋コンクリート基礎５２は、地面よりも低い位置に水平上面が存在する下層の鉄筋コンクリート基礎５４と、下層の鉄筋コンクリート基礎５４の水平上面に配設される上層の鉄筋コンクリート基礎５６とを含む（図１０参照）。鋼管パイル５０の各々は、ハンマーにより上端が地面から所定の深さに達するまで地中に打ち込まれる。続いて、鋼管パイル５０の各々の上端部が露呈される、所定の深さの穴を掘る。この穴はほぼ直方体形状の空間を有している。次いで該穴の中に下層の鉄筋コンクリート基礎５４を打設する。下層の鉄筋コンクリート基礎５４は、鋼管パイル５０の各々の上端部から上方に配設される（図８参照）。下層の鉄筋コンクリート基礎５４の底部には砕石、無筋コンクリートなどが配設される。
【００３３】
下層の鉄筋コンクリート基礎５４について養生した後、直立壁部材４及び６の各々は、基部３０を介して下層の鉄筋コンクリート基礎５４の水平上面に戴置される（図９参照）。直立壁部材４及び６の各々が、対応する基礎手段３の下層の鉄筋コンクリート基礎５４の水平上面に戴置された状態で、直立壁部材４及び６の各々に、少なくとも水平横梁部材８及び水平縦梁部材１０及び１２の各々が連結される。このような方法によれば、直立壁部材４及び６の各々と、水平横梁部材８及び水平縦梁部材１０及び１２の各々との連結において相互のずれが矯正されるので、全体の組付作業性を更に向上させることを可能にし、全体の組立時間を更に短縮することを可能にする。続いて、上層の鉄筋コンクリート５６を打設することにより、直立壁部材４及び６の各々は、各々の基部３０の両側面、両端面及び上面が、対応する基礎手段３の鉄筋コンクリート５２に完全に埋設されることにより基礎手段３に安定してかつ所要の強度を確保しながら設置される（図１０参照）。
【００３４】
図３及び図１５を参照して、水平横梁部材８の各々の両先端には、矩形の連結板６０が各々に直交して溶接により固着されている。連結板６０の各々の上端面は上フランジの水平上面と同一面上に位置付けられ、下端面は下フランジよりも下方に延び出している。連結板６０の各々の下端部内側面と下フランジの下面との間には、補強板６２が側面から見てほぼ３角形上に配設されている。補強板６２の内側面と連結板６０の内側面との間にも他の補強板６４が配設されている。連結板６０の各々の、ウェブにより分けられる左右両側には、上下方向に間隔をおいて複数の取付穴６６が形成されている。水平横梁部材８の各々は、連結板６０が、対応する直立壁部材４及び６における直立壁部３２の鉛直端面３２ｃの上端部及び上下方向のほぼ中央部にそれぞれ配設された連結部に当接されて図示しないボルトにより締結されることにより、対応する直立壁部材４及び６における直立壁部３２の鉛直端面３２ｃの上記連結部にそれぞれ分離自在に連結される。図１１には、水平横梁部材８が直立壁部材４に連結される直前の状態が図示されている。
【００３５】
図３、図１５及び図１６を参照して、水平縦梁部材１０及び１２の各々の両先端には、矩形の連結板７０が各々に直交して溶接により固着されている。連結板７０の各々の上端面は上フランジの水平上面と同一面上に位置付けられ、下端面は下フランジよりも下方に延び出している。連結板７０の各々の下端部内側面と下フランジの下面との間には、補強板７２が側面から見てほぼ３角形上に配設されている。連結板７０の各々の、ウェブにより分けられる左右両側には、上下方向に間隔をおいて複数の取付穴７４が形成されている。水平縦梁部材１０及び１２の各々は、連結板７０が、対応する直立壁部材４及び６における直立壁部３２の側面３２ａ及び３２ｂの横方向両端部であって、上端部及び上下方向のほぼ中央部に配設された連結部に当接されて図示しないボルトにより締結されることにより、対応する直立壁部材４及び６における直立壁部３２の側面３２ａ及び３２ｂの上記連結部にそれぞれ分離自在に連結される。図１２には、水平縦梁部材１０が直立壁部材４に連結される直前の状態が図示されている。また、図１３には、水平縦梁部材１０が直立壁部材４の上端部に連結された状態が図示されている。
【００３６】
図３及び図１４を参照して、水平横梁部材８の各々の、中間水平縦梁部材１４が連結される連結部には、ガセットプレート８０が、上下フランジ間をそれらに直交するよう上下方向に延在しかつ両面が水平横梁部材８の長手方向に向けられるよう溶接により固着されている。中間水平縦梁部材１４の各々は、各々の先端が、対応する水平横梁部材８の連結部に固着されたガセットプレート８０に突き合わされ、かつガセットプレート８０及び中間水平縦梁部材１４のウェブの両面にまたがって重合された連結板８２を介して図示しないボルト＆ナットにより締結されることにより、対応する水平横梁部材８に分離自在に連結される。水平横梁部材８の各々における上記連結部に固着されたガセットプレート８０は、水平横梁部材８の上フランジのほぼ先端位置から鉛直下方に直線状に延びる鉛直先端面と、該鉛直先端面の下端部から水平に延び出す水平取付面とを有し、水平取付面には水平横梁部材８の長手方向に水平に延在する受け板８４が溶接により固着されている。ほぼ矩形の受け板８４は、中間水平縦梁部材１４の各々の、ガセットプレート８０に対する連結部の直下方に配置される。受け板８４の各々は、それぞれ水平横梁部材８に対する中間水平縦梁部材１４の連結作業を容易かつ迅速にすると共に、予想もしない外力の発生などによる中間水平縦梁部材１４の下方への変位を阻止する機能をも有している。その結果、全体の組付作業性を更に向上させることを可能にし、全体の組立時間を更に短縮することを可能にする。
【００３７】
以上のとおりにして直立壁部材４及び６の対と水平横梁部材８、直立壁部材４の各々と水平縦梁部材１０、直立壁部材６の各々と水平縦梁部材１２、水平横梁部材８の各々と中間水平縦梁部材１４、とがそれぞれ分離自在に連結される（図１９参照）。
【００３８】
図１及び図２に示されているように、２階のフロア面１８を形成するための上記水平戴置面上には複数のフロアパネル部材１６が配設されて２階のフロア面１８が形成され、また、３階のフロア面２２を形成するための上記水平戴置面上には複数のフロアパネル部材１６が配設されて３階のフロア面２２が形成される。
【００３９】
図２０〜図２３を参照して、２階のフロア面１８における水平戴置面の周縁下部を規定する、直立壁部材４及び６、水平横梁部材８及び水平縦梁部材１０及び１２の各々の外側には、フェンス２０用の複数の支柱１００が、周方向に間隔をおいて直立するよう、後述する支持枠手段１０２及び１０４を介して配設されている。２階のフロア面１８における該水平戴置面の周縁下部と支柱１００との間には上方に開放されたチャンネル形の雨樋１０６が配設されている。同様に、３階のフロア面１８における水平戴置面の周縁下部を規定する、直立壁部材４及び６、水平横梁部材８及び水平縦梁部材１０及び１２の各々の外側には、フェンス２４用の複数の支柱１００が、周方向に間隔をおいて直立するよう、後述する支持枠手段１０２及び１０４を介して配設されている。３階のフロア面２２における該水平戴置面の周縁下部と支柱１００との間には上方に開放されたチャンネル形の雨樋１０６が配設されている。図示の実施形態において、支柱１００の各々は、一部を除き、両フェンス２０及び２４に共通の支柱として配設されている。
【００４０】
直立壁部材４及び６の鉛直端面３２ｄ、及び縦方向の両端に配置された直立壁部材４及び６の外側面であって、鉛直端面３２ｃ近傍の外側面３２ａ又は３２ｂには、角パイプから形成されかつ下端が開放された支柱１００Ａが、支持枠手段１０２を介して分離自在に取り付けられている。これらの取り付け構造は実質的に同じであるので、以下、図１６〜図１８を参照して、支柱１００Ａ及び雨樋１０６が、支持枠手段１０２を介して直立壁部材４の鉛直端面３２ｄに配設される実施形態について説明する。
【００４１】
支柱１００Ａの両側面（鉛直端面３２ｄに平行な水平方向の両側面）には直立壁部材４の鉛直端面３２ｄに配設された補強板４０に向かって延び出す一対の支持板１１０が溶接により固着されている。支持板１１０の各々の先端には、フランジ部１１０ａが相互に離隔する方向に直角に折り曲げ形成されている。フランジ部１１０ａを含む支持板１１０の各々の上端面は、支柱１００Ａに直交する水平面上に位置付けられている。支柱１００Ａの、補強板４０に対向する前面には、上方に開放されたチャンネル形の受け部材１１２が、支柱１００Ａに直交して水平方向に延在するよう配設されている。受け部材１１２の一側面は矩形状に切りかかれて支柱１００Ａの前面にはめ込まれ、受け部材１１２の底の下面は、支持板１１０の各々の上端面に戴置されている。支柱１００Ａは、支持板１１０の各々のフランジ部１１０ａが補強板４０に当接されてボルト１１４により締結されることにより、鉛直方向に延在するよう直立壁部材４の鉛直端面３２ｄに取り付けられる。受け部材１１２の他側面は補強板４０に当接させられる。雨樋１０６は、受け部材１１２にはめ込まれて支持される。雨樋１０６の底であって、支柱１００Ａの両側面間の領域には排水口１１６が形成されている。受け部材１１２の底にも、排水口１１６に対応して貫通穴が形成されている。支柱１００Ａの前面（一つの側面）であって、雨樋１０６の底よりも低い位置における前面には横穴１１８が形成されている。排水口１１６と横穴１１８とは、曲げパイプであるジョイントパイプ１２０により連結されている。ジョイントパイプ１２０の上端部は、受け部材１１２の底に固着され、下端部は横穴１１８に嵌合されて支柱１００Ａ内に開口している。
【００４２】
実施形態において、支柱１００の各々は角パイプから構成され、その多くは、上記周縁下部を規定する水平横梁部材８及び水平縦梁部材１０及び１２の各々の外側に、支持枠手段１０４を介して配設されている。図２２及び図２３を参照して、支持枠手段１０４は、支柱１００の、水平横梁部材８、水平縦梁部材１０の外側に面した前面の水平横方向の中央から水平横梁部材８、水平縦梁部材１０の外側面に向かって延び出す矩形状の連結板と、連結板の上端面に戴置されかつ支持枠手段１０２におけるのと実質的に同じように支柱１００の前面にはめ込まれて溶接により固着された受け部材とを備えている。受け部材は、上方に開放されたチャンネル形状をなしている。水平横梁部材８、水平縦梁部材１０の外側の、該支持板に対応する位置には矩形状の支持板が配設されている。支柱１００は、連結板が支持板に重合され、ボルト＆ナットにより締結されることにより、水平横梁部材８、水平縦梁部材１０の外側に取り付けられる。雨樋１０６は受け部材にはめ込まれて支持される。
【００４３】
以上のとおりにして装着された雨樋１０６に流入した水は、上記排水口１１６、ジョイントパイプ１２０及び支柱１００Ａを通って排水される。本発明による立体構築物２においては、フェンス２０及び２４の支柱１００Ａを利用することで、特別な配水管を設置することなく排水が可能であるので、簡単な構成及び低コストで所要の排水性を確保することができる。
【００４４】
本発明による上記立体構築物２によれば、多数の柱を必要とせず、特に内部空間のうち、中央部付近の空間に位置する柱を無くすことができるので、同一設置面積において、従来より一層大きな利用空間を得ることができ、利便性が一層向上する。この立体構築物を駐車場として利用した場合には、出入りの運転操作が従来よりも容易となる。また内部でフォークリフト等の作業車が作業をするような倉庫等に利用した場合には、その運行及び作業が従来よりも容易となり、作業効率が向上する。
【００４５】
本発明における立体構築物２においては、また、水平横方向及び水平縦方向への面積の拡大は、直立壁部材４及び６の水平横方向への配列数及び水平縦方向への配列数を増やすことにより容易に対応できる。更に上方への面積の拡大、すなわち４階、５階・・・と高さを増やす場合には、各直立壁部材４及び６の高さを、所望の階数に応じて増やすことにより対応できる。この対応は、直立壁部材４及び６の各々がコンクリートから一体に成形されることにより容易に遂行される。図２４には、本発明による立体構築物２の他の実施形態であって、５階建ての立体構築物が図示されている。この立体構築物２も、図１〜図２３を参照して説明した先の実施形態が備えている構成と実質的に同じ構成を備えている。
【図面の簡単な説明】
【００４６】
【図１】本発明に従って構成された立体構築物の実施形態を示す斜視図。
【図２】図１に示す立体構築物の一部を除去して内部構成の一部を示す斜視図。
【図３】図２に示す立体構築物の一部を分解して示す斜視図であって、直立壁部材の各々を基礎手段の鉄筋コンクリート基礎と一体の状態で示す斜視図。
【図４】図１に示す立体構築物に含まれる直立壁部材の正面図。
【図５】図４に示す直立壁部材の左側面図。
【図６】図４に示す直立壁部材の右側面図。
【図７】図４に示す直立壁部材の上面図。
【図８】直立壁部材を基礎手段に設置する直前の位置関係を示す図。
【図９】直立壁部材を基礎手段に戴置した状態を示す図。
【図１０】直立壁部材を基礎手段に完全に設置した状態を示す図。
【図１１】水平横梁部材と直立壁部材との連結を説明するための正面図。
【図１２】水平縦梁部材と直立壁部材との連結を説明するための側面図。
【図１３】水平縦梁部材と直立壁部材とが連結された状態を示す側面図。
【図１４】水平横梁部材と中間水平縦梁部材とが連結された状態を示す側面図。
【図１５】直立壁部材と、水平横梁部材及び水平縦梁部材との連結部を分解して示す斜視図。
【図１６】直立壁部材と、水平縦梁部材及びフェンス用支柱との連結部を分解して示す斜視図。
【図１７】直立壁部材とフェンス用支柱との連結部を一部を断面にして示す図。
【図１８】図１７のＡ−Ａ矢視断面図。
【図１９】図１に示す立体構築物の部分平面図であって、フロアパネル部材を配設しない状態を示す部分平面図。
【図２０】図１に示す立体構築物の部分平面概略図であって、フロアパネル部材及び雨樋を配設した状態を示す部分平面概略図。
【図２１】図１に示す立体構築物の部分斜視概略図であって、一部を断面にして示す部分斜視概略図。
【図２２】図１に示す立体構築物の部分正面図であって、一部を断面にして示す部分正面図。
【図２３】図１に示す立体構築物の部分側面図であって、一部を断面にして示す部分側面図。
【図２４】本発明に従って構成された立体構築物の他の実施形態を示す斜視図であって、一部を除去して示す斜視図。
【符号の説明】
【００４７】
２：立体構築物
３：基礎手段
４：直立壁部材
６：直立壁部材
８：水平横梁部材
１０：水平縦梁部材
１２：水平縦梁部材
１４：中間水平縦梁部材
３０：基部
３２：直立壁部
【図１】
2005036601.tif 000003
【図２】
2005036601.tif 000004
【図３】
2005036601.tif 000005
【図４】
2005036601.tif 000006
【図５】
2005036601.tif 000007
【図６】
2005036601.tif 000008
【図７】
2005036601.tif 000009
【図８】
2005036601.tif 000010
【図９】
2005036601.tif 000011
【図１０】
2005036601.tif 000012
【図１１】
2005036601.tif 000013
【図１２】
2005036601.tif 000014
【図１３】
2005036601.tif 000015
【図１４】
2005036601.tif 000016
【図１５】
2005036601.tif 000017
【図１６】
2005036601.tif 000018
【図１７】
2005036601.tif 000019
【図１８】
2005036601.tif 000020
【図１９】
2005036601.tif 000021
【図２０】
2005036601.tif 000022
【図２１】
2005036601.tif 000023
【図２２】
2005036601.tif 000024
【図２３】
2005036601.tif 000025
【図２４】
2005036601.tif 000026